(57)【特許請求の範囲】
【請求項１】
キーワードとスクロール速度とを対応させるテーブル部と、
コンテンツから前記キーワードを検索する取得部と、
前記取得部により検索されたキーワードに対応した前記スクロール速度で前記コンテンツをスクロール表示する表示部と、
前記表示部が前記コンテンツをスクロール表示中に、前記スクロール速度が変更されるためのボタンが操作されたとき、前記コンテンツが表示され始めた時刻から前記ボタンが操作された時刻までの時間に基づいて、前記テーブル部の前記取得部により検索されたキーワードに対応するスクロール速度を更新する表示制御部
とを含む自動スクロール制御装置。
【請求項２】
情報端末と、
前記情報端末にコンテンツを提供するサーバとを含み、
前記サーバは、
前記コンテンツとキーワードとを対応させる第１テーブルを含み、
前記第１テーブルに基づいて前記コンテンツに対応した前記キーワードを前記情報端末に提供し、
前記情報端末は、
前記サーバから提供された前記キーワードとスクロール速度とを対応させる第２テーブル部と、
前記コンテンツから前記キーワードを検索する取得部と、
前記検索されたキーワードに対応した前記スクロール速度で前記コンテンツをスクロール表示する表示部とを含む
自動スクロール制御システム。
【請求項３】
請求項２において、
前記サーバは、
前記情報端末が所定期間に前記コンテンツを要求した回数を示す第３テーブル部を更に含み、
前記回数が所定回数未満であるとき、前記キーワードを前記情報端末に提供しない
自動スクロール制御システム。
【請求項４】
請求項２または請求項３のいずれかにおいて、
前記サーバは、
前記コンテンツに前記キーワードを付加する加工部を更に含み、
前記キーワードを付加された前記コンテンツを前記情報端末に提供する
自動スクロール制御システム。
【請求項５】
請求項２〜請求項４のいずれかにおいて、
前記サーバは、
前記情報端末と前記情報端末に属する前記第２テーブルが有する前記キーワードとを対応させる第４テーブルを更に含み、
前記コンテンツに対応する前記キーワードが前記第４テーブルに存在しないとき、前記キーワードを前記情報端末に提供しない
自動スクロール制御システム。
【発明の詳細な説明】
【０００１】
【発明の属する技術分野】
本発明は、自動スクロール制御装置及び自動スクロール制御システムに関し、特に、ユーザに読み取りやすくコンテンツをスクロール表示する自動スクロール制御装置及び自動スクロール制御システムに関する。
【０００２】
【従来の技術】
情報表示端末は、コンテンツ（情報）を画面に表示する際、表示装置の一画面で表示可能な量を一頁分として表示し、表示されないコンテンツの残量が存在するとき、そのコンテンツをスクロールして表示する。現在表示されている一画面を読み終った後、次の画面にスクロールするには、ユーザがボタンスイッチを押す等の操作が必要である。このため、大量の情報を受信した際にはそれを読むのに手間がかかる。
【０００３】
コンテンツを自動的にスクロールするスクロール表示は、公知である。ユーザがコンテンツを読み取る速度に合わせて、コンテンツをスクロール表示するスクロール速度を制御するスクロール制御装置も公知である。特開平５−３２３９４１号公報に示されるスクロール制御装置は、図２３に示されるように、中央処理装置１０１とプログラムワークメモリ１０２とワーキングワークメモリ１０３と入力装置１０４とタイマ装置１０５とテキストワークメモリ１０６とイメージワークメモリ１０７とキャラクタジェネレータ１０８と表示制御装置１０９と表示装置１１０とを備えている。
【０００４】
画面に表示された情報が文字情報のときは文字数に応じてスクロール速度を可変し、図形情報のときは図形情報に関して予めスクロール停止時間を記憶しておき、それに応じてスクロール速度を可変制御することによって、その問題を解決している。即ち、ユーザが文字を読み取る場合の速度が、表示する文字数に反比例するという関係に基づいてスクロール速度を決定し、ユーザが図表や画像を読み取るときの速度を、これらの情報と一緒に関連付けて予め記憶しておき、表示する時にこれに基づいてスクロール速度を決定している。
【０００５】
【発明が解決しようとする課題】
本発明の課題は、スクロール速度をユーザが読み取りやすい速度に自動的に調整する自動スクロール制御装置及び自動スクロール制御システムを提供することにある。
【０００６】
【課題を解決するための手段】
その課題を解決するための部が、下記のように表現される。その表現中に現れる技術的事項には、括弧（）付きで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈することを意味しない。
【０００７】
本発明による自動スクロール制御装置は、キーワードとスクロール速度とを対応させるテーブル部（２３）と、コンテンツからキーワードを検索する取得部（１９）と、テーブル部に基づいて検索されたキーワードに対応したスクロール速度でコンテンツをスクロール表示する表示部（２２）とを含む。コンテンツを自動的にスクロールするスクロール速度は、ユーザがそのコンテンツに興味を持っているかどうかによって制御されることが好ましい。テーブル部（２３）は、頻繁に表示されるコンテンツに含まれるキーワードをユーザが読みやすいスクロール速度と対応させている。
【０００８】
表示部（２２）がコンテンツをスクロール表示中に、ユーザによりスクロール速度が変更されたとき、テーブル部（２３）を更新する表示制御部（２１）を更に含む。ユーザが読みやすいスクロール速度は、コンテンツが自動的にスクロール表示されているときに更新されることが好ましい。ユーザにより変更されたスクロール速度は、そのままテーブル部（２３）に更新され、または、変更されたスクロール速度の関数がテーブル部（２３）に更新される。
【０００９】
表示部（２２）は、コンテンツにキーワードが含まれていないとき、表示部に表示される文字数に基づいて設定されるスクロール速度でコンテンツをスクロール表示する。スクロール速度が表示される文字数に基づいて設定されることは、公知である。このようなスクロール表示は、キーワードが含まれていないことにより、自動的にスクロール表示されないことより良い。
【００１０】
本発明による自動スクロール制御システムは、情報端末（１）と、情報端末（１）にコンテンツを提供するサーバ（２）とを含み、サーバ（２）は、コンテンツとキーワードとを対応させる第１テーブル（４２）を含み、第１テーブル（４２）に基づいてコンテンツに対応したキーワードを情報端末（１）に提供し、情報端末（１）は、サーバ（２）から提供されたキーワードとスクロール速度とを対応させる第２テーブル部（２３）と、コンテンツからキーワードを検索する取得部（１９）と、検索されたキーワードに対応したスクロール速度でコンテンツをスクロール表示する表示部（２２）とを含む。このような第１テーブル（４２）は、公知であり、コンテンツの検索などに使用されている。第２テーブルに（２３）が有するキーワードはサーバ（２）から提供され、ユーザはキーワードを設定する必要がない。
【００１１】
サーバ（２）は、情報端末（１）が所定期間にコンテンツを要求した回数を示す第３テーブル部を更に含み、回数が所定回数未満であるとき、キーワードを情報端末（１）に提供しない。情報端末（１）に提供されるキーワードは、ユーザが興味を持っているキーワードとみなされる。
【００１２】
サーバは（２）、コンテンツにキーワードを付加する加工部を更に含み、キーワードを付加されたコンテンツを情報端末（１）に提供する。このような付加は、サーバ（２）と情報端末（１）との間の通信回数を減少させることができる。このとき、情報端末（１）の取得部（１９）は、付加されたキーワードを検索し、コンテンツからキーワードを検索する必要がない。
【００１３】
サーバ（２）は、情報端末（１）と情報端末（１）に属する第２テーブル（２３）が有するキーワードとを対応させる第４テーブル（４４）を更に含み、コンテンツに対応するキーワードが第４テーブル（４４）に存在しないとき、キーワードを情報端末（１）に提供しないことが好ましい。情報端末（１）の取得部（１９）は、更に容易に検索することができる。
【００１４】
【発明の実施の形態】
図面を参照して、本発明による自動スクロール制御システムの実施の形態は、情報端末がサービスプロバイダとともに設けられている。その情報端末１は、図１に示されるように、サービスプロバイダ２にインターネットや公衆回線網に例示される無線もしくは有線ネットワークを介して接続されている。自動スクロール制御システム１０は、更にコンテンツサーバ３を備えている。サービスプロバイダ２は、無線もしくは有線ネットワークを介してコンテンツサーバ３に接続されている。
【００１５】
情報端末１は、サービスプロバイダ２にＵＲＬ４を送信する。ＵＲＬ４は、インタネットのＵＲＬだけを意味せず、ネットワーク上のコンテンツの位置を一意に示していれば、何であっても構わない。サービスプロバイダ２はプロキシ機能を有する。サービスプロバイダ２はＵＲＬアクセス要求５をコンテンツサーバ３に転送する。コンテンツサーバ３は、メモリやハードディスクに例示される記憶メディアを有し、記憶メディアに記録されたコンテンツを情報端末１にサービスプロバイダ２を介して提供する。コンテンツサーバ３は、ＵＲＬアクセス要求に応答して対応するコンテンツ６をサービスプロバイダ２に送信する。サービスプロバイダ２は、コンテンツ７を情報端末１に転送する。
【００１６】
図２は、情報端末１を詳細に示している。情報端末１は、図２に示されるように、入力装置部１１と、入力監視部１２と、中央処理装置部１３と、通信部１４と、記憶装置部１５、ワークメモリ１６と、アクセス部１７と、比較部１８と、取得部１９と、タイマ装置部２０と、表示制御装置部２１と、表示装置部２２とを備えている。
【００１７】
中央処理装置部１３は、バスを介して、入力監視部１２と、アクセス部１７と、比較部１８と、取得部１９と、通信部１４と、タイマ装置部２０と、表示制御装置部２１とに接続されている。中央処理装置部１３は、情報端末１全体で行われる処理を制御する。
【００１８】
入力装置部１１は、ユーザが情報端末１に表示制御コマンドを入力するための装置である。表示制御コマンドは、２つのコマンドからなる。その１つのコマンドは、情報端末１の自動スクロール機能の起動、及び中止を制御する。もう１つのコマンドは、コンテンツが表示される画面を上下方向または左右方向にスクロールするように制御する。
【００１９】
入力監視部１２は、入力装置部１１から表示制御コマンドが入力されるか否かを監視する。表示制御コマンドが入力されたとき、入力監視部１２は中央処理装置部１３を介して表示制御装置部２１にその入力された表示制御コマンドを通知する。
【００２０】
通信部１４は、情報端末１とネットワークとのインターフェイス部分であり、サービスプロバイダ２と通信する。記憶装置部１５は、自動スクロール速度テーブル２３とコンテンツ２４とを記憶する。自動スクロール速度テーブル２３は、キーワードと自動スクロール速度値とを対応させている。
【００２１】
ワークメモリ１６は、中央処理装置部１３で実行される実行プログラムを一時的に記憶し、コンテンツを一時的に記憶する。アクセス部１７は、自動スクロール速度テーブル２３の内容を読み出し、自動スクロール速度テーブル２３を更新する。
【００２２】
比較部１８は、自動スクロール速度テーブル２３からアクセス部１７を介して自動スクロール速度値を取得し、表示制御装置部２１から自動スクロール速度値を取得する。比較部１８は、取得した２つの自動スクロール速度値とを比較し、表示制御装置部２１から取得された自動スクロール速度値が設定された変更範囲値内のとき自動スクロール速度テーブル２３に２つの自動スクロール速度値の平均値を書き込む。
【００２３】
取得部１９は、記憶装置部１５に記憶されたコンテンツ２４の内容を読み出して、自動スクロール速度テーブル２３に格納されたキーワードの有無を検索する。タイマ装置部２０は、中央処理装置部１３によって設定された時間を計測し、計測終了と同時にタイムアップ信号を中央処理装置部１３に出力する。
【００２４】
表示制御装置部２１は、中央処理装置部１３とアクセス部１７とを介して、自動スクロール速度テーブル２３から自動スクロール速度値を取得する。表示制御装置部２１は、その自動スクロール速度値に基づいたスクロール速度で、コンテンツを表示装置部２２に出力する。更に、表示制御装置部２１は、入力監視部１２から自動スクロール機能の起動を示す表示制御コマンドを受信したとき、中央処理装置部１３を介してタイマ装置部２０を利用して、コンテンツが表示画面２５に表示された時刻からユーザにより上下方向または左右方向スクロールボタン３３が押下されるまでの時間を取得する。
【００２５】
表示装置部２２は、表示画面２５を有し、表示制御装置部２１の指示によりコンテンツを表示画面２５に表示する。
【００２６】
図３は、情報端末１の外観の１例を示している。情報端末１は、図３に示されるように、携帯電話機に例示され、入力装置部１１と表示画面２５とをその表面に備えている。入力装置部１１は、自動スクロールボタン２６と上下左右方向スクロールボタン２７を備えている。自動スクロールボタン２６は、自動スクロール機能を起動または中止するコマンドを出力する。上下左右方向スクロールボタン２７は、上下方向または左右方向に対応する複数のボタンスイッチからなり、コンテンツがその方向にスクロールするコマンドを出力する。
【００２７】
図４は、情報端末１の外観の他の１例を示している。情報端末１’は、図４に示されるように、図３の例と同様に入力装置部１１’と表示画面２５’とを備えている。入力装置部１１’は、自動スクロールボタン２６’と上下左右方向スクロールボタン２７’を備えている。なお、入力装置部１１はユーザが表示制御コマンドを入力可能である入力装置であれば、ボタンスイッチでなくても構わない。
【００２８】
図５は、自動スクロール速度テーブル２３を示している。自動スクロール速度テーブル２３は、図５に示されるように、キーワードと自動スクロール速度値とを１対１に対応させている。
【００２９】
図６は、サービスプロバイダ２を詳細に示している。サービスプロバイダ２は、図６に示されるように、通信部３１と中央処理装置部３２と記憶装置部３３とワークメモリ部３４とアクセス部３５と判別部３６と嗜好情報解析部３８とアクセス回数計算部３９とタイマ装置部４０とＵＲＬ監視部４１とから構成されている。
【００３０】
中央処理装置部３２は、バスを介して、通信部３１とアクセス部３５と判別部３６と嗜好情報解析部３８とアクセス回数計算部３９とタイマ装置部４０とＵＲＬ監視部４１とに接続されている。中央処理装置部３２は、サービスプロバイダ２により実行される処理を制御する。
【００３１】
通信部３１は、サービスプロバイダ２とネットワークとのインターフェイス部分であり、情報端末１と通信する。記憶装置部３３は、ＵＲＬ対キーワードテーブル４２とユーザ対ＵＲＬテーブル４３とを記憶する。ＵＲＬ対キーワードテーブル４２は、ＵＲＬとキーワードとを対応させている。ユーザ対ＵＲＬテーブル４３は、各ユーザがどのＵＲＬに何回アクセスしたかを示している。
【００３２】
ワークメモリ部３４は、中央処理装置部３２により実行される実行プログラムを一時的に記憶し、情報端末１に送信すべきコンテンツを一時的に記憶する。アクセス部３５は、ワークメモリ部３４を介して、記憶装置部３３に記憶されるＵＲＬ対キーワードテーブル４２及びユーザ対ＵＲＬテーブル４３の内容を読み出し、ＵＲＬ対キーワードテーブル４２及びユーザ対ＵＲＬテーブル４３を更新する。
【００３３】
判別部３６は、情報端末１のアクセス要求に応答して、アクセス部３５を介してユーザ対ＵＲＬテーブル４３の情報を読み出し、情報端末１の情報がユーザ対ＵＲＬテーブル４３に存在するか否かを判別する。判別部３６は、更に、情報端末１に対応し情報端末１にアクセス要求されたＵＲＬが存在するか否かを判別し、情報端末１がそのＵＲＬにアクセスした回数が所定の回数以上か未満かを判別する。
【００３４】
嗜好情報解析部３８は、ユーザがＵＲＬにアクセスした回数を監視し、アクセス部３５にユーザ対ＵＲＬテーブル４３の更新を指示する。１つのＵＲＬに対応するアクセス回数が予め設定されたアクセス回数を越えたとき、嗜好情報解析部３８はＵＲＬ対キーワードテーブル４２からそのＵＲＬに対応するキーワードを取得して、情報端末１にそのキーワードを送信する。アクセス回数計算部３９は、ユーザが所定の期間にＵＲＬにアクセスした回数を計数する。
【００３５】
タイマ装置部４０は、中央処理装置部３２によって設定された時間を計測し、計測終了と同時にタイムアップ信号をアクセス回数計算部３９に出力する。タイマ装置部４０は、中央処理装置部３２の指示により時間計測を開始し、計測終了と同時にタイムアップ信号をアクセス回数計算部３９に出力する。ＵＲＬ監視部４１は、情報端末１のＵＲＬアクセス要求に応答してコンテンツサーバ３にアクセスし、コンテンツを取得する。更にこれらの情報を監視する。
【００３６】
図７の表は、ＵＲＬ対キーワードテーブル４２を示している。ＵＲＬ対キーワードテーブル４２は、図７の表に示されるように、ＵＲＬとキーワードとを対応させる。図８の表は、ユーザ対ＵＲＬテーブル４３を示している。ユーザ対ＵＲＬテーブル４３は、図８に示されるように、各ユーザがどのＵＲＬにアクセスしたかを示し、各ユーザがどのＵＲＬに何回アクセスしたかを示している。
【００３７】
図９及び図１０は、自動スクロール制御システム１０の動作を示している。先ず、サービスプロバイダ２は、通信部３１を介して情報端末１の接続要求の有無を判別する（ステップＳ１）。情報端末１の接続要求がないとき、情報端末１の接続要求の有無を判別する処理を繰り返すループに入る。情報端末１の接続要求を受信したとき、そのループから脱出しサービスプロバイダ２はアクセス部３５を介して記憶装置部３３のユーザ対ＵＲＬテーブル４３を読み出す（ステップＳ３）。
【００３８】
判別部３６は、ユーザ対ＵＲＬテーブル４３に基づいて、接続要求した情報端末１を示す情報がユーザ対ＵＲＬテーブル４３に存在するか否かを判別する（ステップＳ４）。情報端末１を示す情報がユーザ対ＵＲＬテーブル４３に存在しないとき、新たに情報端末１を示す情報をユーザ対ＵＲＬテーブル４３に登録する（ステップＳ５）。情報端末１を示す情報がユーザ対ＵＲＬテーブル４３に存在するとき、またはステップＳ５が実行された後、サービスプロバイダ２は情報端末１がＵＲＬアクセス要求とともに特別なコマンドであるキーワード要求をしているかどうかを判別する（ステップＳ６）。
【００３９】
情報端末１のＵＲＬアクセス要求がないとき、サービスプロバイダ２はＵＲＬアクセス要求の有無を判別する処理（ステップＳ６）を繰り返すループを実行する。サービスプロバイダ２は、情報端末１からＵＲＬアクセス要求とキーワード要求とを受信したとき、そのループから脱出しコンテンツサーバ３からＵＲＬ監視部４１を介してＵＲＬコンテンツを取得する（ステップＳ８）。
【００４０】
サービスプロバイダ２は、そのＵＲＬコンテンツを情報端末１に送信する（ステップＳ９）。判別部３６は、アクセス部３５にユーザ対ＵＲＬテーブル４３の読み出しを指示する（ステップＳ１１）。判別部３６は、ユーザ対ＵＲＬテーブル４３に情報端末１からアクセスされたＵＲＬが存在したか否かを判別する（ステップＳ１２）。
【００４１】
情報端末１からアクセスされたＵＲＬの情報が存在しないとき、新たにアクセスされたＵＲＬをユーザ対ＵＲＬテーブル４３に登録する（ステップＳ１３）。アクセスされたＵＲＬの情報がユーザ対ＵＲＬテーブル４３に存在するとき、そのＵＲＬのアクセス回数がユーザ対ＵＲＬテーブル４３から読み出されて判別部３６に渡される（ステップＳ１４）。
【００４２】
判別部３６は、所定の期間内に所定の回数以上のアクセスがあるかどうかを判別する（ステップＳ１５）。所定回数以上のアクセスがあるとき、嗜好情報解析部３８はＵＲＬ対キーワードテーブル４２からユーザが要求したＵＲＬに対応するキーワードを取得する（ステップＳ１６）。嗜好情報解析部３８は、通信部３１を介してユーザの情報端末１にそのキーワードを送信する（ステップＳ１７）。嗜好情報解析部３８は、ユーザ対ＵＲＬテーブル４３のユーザのレコードから、アクセスされたＵＲＬとそのアクセス回数の情報を削除する（ステップＳ２１）。
【００４３】
回数条件以下であるとき、またはステップ１３の処理が実行された後、アクセス部３５はユーザ対ＵＲＬテーブル４３を更新する。即ち、アクセスされたＵＲＬのＵＲＬアクセス回数は１だけ加算される。（ステップＳ２２）。
【００４４】
情報端末１は、まず、サービスプロバイダ２に接続要求を送信し（ステップＳ２）、サービスプロバイダ２にＵＲＬアクセス要求を送信する（ステップＳ７）。その後、情報端末１はサービスプロバイダ２からＵＲＬコンテンツを受信し（ステップＳ１０）、そのＵＲＬコンテンツをコンテンツ２４として記憶装置部１５に記録する。情報端末１は、更にキーワードを受信したか否かを判別する（ステップＳ１８）。
【００４５】
情報端末１がキーワードを受信したとき（ステップＳ１８；ＹＥＳ）、自動スクロール速度テーブル２３に受信されたキーワードが存在するかどうかが判別される（ステップＳ１９）。自動スクロール速度テーブル２３にそのキーワードが存在しないとき、そのキーワードは自動スクロール速度テーブル２３に新キーワードとして登録される（ステップＳ２０）。
【００４６】
図１１は、ステップＳ２０の処理、即ち、自動スクロール速度テーブル２３に新キーワードを登録処理する動作を詳細に示している。サービスプロバイダ２から受信したキーワードが自動スクロール速度テーブル２３に存在しないとき、このフローは起動する。まず、アクセス部１７は、新キーワードを含めて、自動スクロール速度テーブル２３にキーワードが所定の個数以上に存在するか否かを判別する（ステップＳ２３）。
【００４７】
登録されているキーワードが所定の個数以上であるとき、アクセス部１７は最古のキーワードを自動スクロール速度テーブル２３から削除する（ステップＳ２４）。登録されているキーワードが所定の個数未満であるとき、またはステップ２４の処理が実行された後、アクセス部１７は新キーワードを自動スクロール速度テーブル２３に登録する（ステップＳ２５）。なお、自動スクロール速度テーブル２３に記録できるキーワードの個数は、ユーザにより設定されることができるものとする。本実施の形態では、自動スクロール速度テーブル２３に最大１０個のキーワードを格納している。
【００４８】
図１２及び図１３は、情報端末１がコンテンツを自動スクロール表示する動作を示している。ユーザにより情報端末１の電源がＯＮされると、情報端末１は所定のアプリケーションを起動して、記憶装置部１５に記録されているコンテンツ２４を表示装置部２２に表示する（ステップＳ３１）。または情報端末１は、外付けされているメモリやハードディスクに例示される記憶メディアに記録されているコンテンツを表示装置部２２に表示する。
【００４９】
表示装置部２２に表示されない残量のコンテンツがあるとき、即ち、コンテンツが２ページ以上であるとき、入力監視部１２は入力装置部１１の自動スクロールボタン２６が押下されるか否かを判別する（ステップＳ３２）。表示すべきコンテンツが２ページ未満であるとき、フローは終了する。
【００５０】
自動スクロールボタン２６が押下されないときは、ユーザが希望の表示画面２５の方向に合わせて、上下左右方向スクロールボタン２７を押下することによって、コンテンツが表示画面２５の上下方向または左右方向にスクロールされる（ステップＳ３３）。
【００５１】
ユーザが自動スクロールボタン２６を押下したとき、入力監視部１２は自動スクロールの実行を示す表示制御コマンドを受信したことを表示制御装置部２１に通知する。表示制御装置部２１は、その通知を受けて自動スクロール表示処理を開始する。次に、表示制御装置部２１は、アクセス部１７に記録装置部１５に記録されたコンテンツ２４と自動スクロール速度テーブル２３に記録されたキーワードを読み出すように指示する（ステップＳ３４）。
【００５２】
アクセス部１７は、自動スクロール速度テーブル２３のキーワードを読み出し、そのキーワードを取得部１９に渡す。取得部１９は、コンテンツ２４を読み出し、コンテンツ２４内にアクセス部１７から渡されたキーワードが含まれているか否かを判別する（ステップＳ３５）。
【００５３】
コンテンツ２４内にキーワードが存在しないとき、情報端末１は表示画面２５上に表示される文字情報や画像情報等を基づいて、自動スクロール表示処理を行う（ステップＳ３６）。例えば、コンテンツが文字情報であるとき、１行文字長さに反比例した速度でスクロールする。このようなスクロール表示は、キーワードが含まれていないことにより、自動的にスクロール表示されないことより良い。
【００５４】
コンテンツ２４内にキーワードが存在するとき、表示制御装置部２１は中央処理装置部１３とアクセス部１７とを介して、自動スクロール速度テーブル２３のキーワードに対応する自動スクロール速度値を取得する（ステップＳ３７）。表示制御装置部２１は、表示装置２１にコンテンツ２４を表示画面２５上に表示するように通知し、自動スクロール速度値を通知する（ステップＳ３８）。表示装置部２２は、自動スクロール速度値を受信し、コンテンツ２４を自動スクロール表示する。中央処理装置部１３は、タイマ装置部２０に自動スクロール速度値に対応する時間の計測を指示する。
【００５５】
タイマ装置部２０は、中央処理装置１３の指示により時間を計測する（ステップＳ３９）。コンテンツが表示装置部２２に自動スクロール表示されているとき、表示制御装置部２１は入力監視部１２に入力装置部１１の自動スクロールボタン２６の押下の有無を判別するように通知する。入力監視部１２は、コンテンツの自動スクロール表示時間内に、ユーザからの表示制御コマンドを受信するか否かを判別する（ステップＳ４０）。表示時間が無くなるまで、即ち、タイマ装置部２０がタイムアップ信号を中央処理装置部１３に出力するまで、表示制御コマンドを受信するか否かを判別する処理が繰り返し実行される。
【００５６】
表示制御コマンドを受信したとき、押下されたボタンが自動スクロールボタン２６か上下左右方向スクロールボタン２７かが判別される（ステップＳ４１、Ｓ４２）。判別結果は、表示制御装置部２１に通知される。
【００５７】
自動スクロールボタン２６が押下されたとき、表示制御装置部２１は自動スクロール表示処理を終了させ、ユーザが希望の表示画面２５の方向に合わせて上下左右方向スクロールボタン２７を押下することによって、コンテンツが表示画面２５の上下方向または左右方向にスクロールされる（ステップＳ３３）。
【００５８】
上下左右方向スクロールボタン２７が押下されたとき、表示制御装置部２１は中央処理装置部１３を介してタイマ装置部２０にコンテンツが表示画面２５に表示された時刻から上下左右方向スクロールボタン２７が押下されるまでの時間を要求する。この時間を新自動スクロール速度値とする。タイマ装置部２０は新自動スクロール速度値を表示制御装置部２１に通知する（ステップＳ４３）。表示制御装置部２１は、中央処理装置部１３を介して比較部１８に新自動スクロール速度値を渡し、従来の自動スクロール速度値と新自動スクロール値との比較を指示する（ステップＳ４４）。
【００５９】
新自動スクロール速度値が自動スクロール速度値の変更範囲内であるとき、比較部１８は新自動スクロール速度値と自動スクロール速度値との平均値を計算し（ステップＳ４５）、平均値を表示制御装置部２１に通知する。表示制御装置部２１は平均値を新自動スクロール速度値に代入し、自動スクロール速度テーブル２３内のキーワードに対応する自動スクロール速度値を新自動スクロール速度値に更新する（ステップＳ４６）。
【００６０】
コンテンツが自動スクロール表示されている途中に上下左右方向スクロールボタン２７が押下されることは、ユーザがその自動スクロール速度の変更を要求しているとみなされる。ユーザがこのようにして変更した新自動スクロール速度値は、平均化され自動スクロール速度テーブル２３に更新されているが、そのまま更新されても良い。平均化は、自動スクロール速度の極端な変更を防止する。
【００６１】
新自動スクロール速度値が自動スクロール速度値の変更範囲内でないとき、表示制御装置部２１は取得部１９に次の表示画面２５に表示するコンテンツの残量が存在するか否かの判別を指示する。このように変更範囲を設けることは、極端な自動スクロール速度の変更を防止する。
【００６２】
取得部１９は、記録装置部１５に記憶されたコンテンツ２４を読み出し、表示画面２５に表示すべき残量のコンテンツが存在するか否かを判別する（ステップＳ４７）。この判別結果は表示制御装置部２１に通知される。表示すべき残量のコンテンツが存在するとき、表示制御装置部２１は、再度ステップＳ３４が実行され、表示画面２５上にその残量のコンテンツの表示処理を行う。表示すべき残量のコンテンツが存在しないとき、表示制御装置部２１は自動スクロール表示処理を終了させる。
【００６３】
タイマ装置部２０がタイムアップ信号を中央処理装置部１３に出力したとき（ステップ３９；ＮＯ）、表示制御装置部２１は取得部１９に次の表示画面２５に表示するコンテンツの残量が存在するか否かの判別を指示する。取得部１９は、記録装置部１５に記憶されたコンテンツ２４を読み出し、表示画面２５に表示すべき残量のコンテンツが存在するか否かを判別する（ステップＳ４７）。この判別結果は表示制御装置部２１に通知される。表示すべき残量のコンテンツが存在するとき、表示制御装置部２１は、再度ステップＳ３４が実行され、表示画面２５上にその残量のコンテンツの表示処理を行う。表示すべき残量のコンテンツが存在しないとき、表示制御装置部２１は自動スクロール表示処理を終了させる。
【００６４】
例えば、ユーザＡが情報端末１の使用してサービスプロバイダ２にＵＲＬ「ｈｔｔｐ：／／ｗｗｗ．ａａａ．ｃｏｍ」のアクセス要求をするとき、ユーザ対ＵＲＬテーブル４３にユーザＡが存在するか否かが判別される。ユーザ対ＵＲＬテーブル４３にユーザＡが存在するとき、ユーザＡに対応するＵＲＬの中にアクセス要求されたＵＲＬが存在するか否かが判別される。ＵＲＬが存在するとき、そのＵＲＬに対応するアクセス回数が３回未満か否かが更に判別される。
【００６５】
アクセス回数が３回以上のとき、ＵＲＬ対キーワードテーブル４２からＵＲＬ「ｈｔｔｐ：／／ｗｗｗ．ａａａ．ｃｏｍ」に対応するキーワード「キーワードａ１」、「キーワードａ２」が、ユーザＡの情報端末１に送信される。
【００６６】
情報端末１は、サービスプロバイダ２にＵＲＬアクセス要求を送信した後、サービスプロバイダ２からＵＲＬコンテンツを受信して、キーワードを受信する。本例では、サービスプロバイダ２は「キーワードａ１」、「キーワードａ２」を送信し、自動スクロール速度テーブル２３は図５に示される表から図１４に示される表（自動スクロール速度テーブル２３’）に更新される。
【００６７】
ユーザＡがコンテンツ表示中に自動スクロールボタン２６を押下すると、自動スクロール表示機能が起動する。コンテンツ内に自動スクロール速度テーブル２３’に記録されたキーワードが含まれるか否かが判別される。
【００６８】
コンテンツの中に「キーワードｕ３」が存在したとき、自動スクロール速度テーブル２３’から「キーワードｕ３」に対応する自動スクロール速度値「Ｖ３」に基づいてコンテンツは表示画面２５に自動スクロール表示される。
【００６９】
自動スクロール表示中に、ユーザＡが入力装置部１１の上下左右方向スクロールボタン２７が押下したとき、現在のコンテンツを表示された時刻から上下左右方向スクロールボタン２７が押下される時刻までの時間が計測される。この時間を新自動スクロール速度値「Ｖ３’」とする。
【００７０】
新自動スクロール速度値「Ｖ３’」は、従来の自動スクロール速度値「Ｖ３」と比較される。新自動スクロール速度値「Ｖ３’」が、自動スクロール速度値「Ｖ３」の変更範囲内であるとき、新自動スクロール速度値「Ｖ３’」は自動スクロール速度値「Ｖ３」との平均値が計算され、自動スクロール速度テーブルの自動スクロール速度値「Ｖ３」はその平均値に更新される。変更範囲外であるとき、自動スクロール速度値「Ｖ３」は更新されない。
【００７１】
例えば、ユーザが自動スクロール速度値の変更範囲が
０．５×Ｖ３＜ｘ＜２．０×Ｖ３
で表される場合で、新スクロール速度値Ｖ３’が
Ｖ３’＝１．５×Ｖ３
であるとき、自動スクロール速度値の変更処理が行われる。この場合で、新スクロール速度値Ｖ３’が
Ｖ３’＝３．０×Ｖ３
であるとき、自動スクロール速度値の変更処理は行われない。
【００７２】
ユーザの読み取り速度について、１行に表示される文字数に反比例するという関係の以外に、ユーザが表示される情報において、興味を持っている話題が有るか否かにも関係がある。即ち、ユーザが興味を持っている話題についてゆっくり読み、興味のないものを読み飛ばす傾向がある。
【００７３】
情報端末１は、頻繁にアクセスされるコンテンツからキーワードを取得し、そのキーワードを含むコンテンツはユーザが設定した速度でスクロール表示される。その結果、情報端末はユーザが興味を持っているコンテンツを適当なスクロール速度でスクロール表示することができる。
【００７４】
本発明による自動スクロール制御システムの実施の他の形態は、サービスプロバイダがコンテンツをキーワードとともに情報端末に送信している。図１５は、サービスプロバイダ２の構成を示している。サービスプロバイダ２は、図１５に示されるように、先の実施の形態におけるサービスプロバイダ２に解析部４６と加工部４７とが更に付加されている。中央処理装置３２は、更に解析部４６と加工部４７とにバスを介して接続されている。
【００７５】
解析部４６は、記憶装置部３３に記録されたコンテンツ４５を読み出して、コンテンツ４６の中にキーワードが存在するか否かを判別する。加工部４７は、コンテンツ内にキーワードが存在すると判別されたときに、コンテンツ４６のヘッダ部分にキーワードを書き込む。記憶装置部３３は、更に、ユーザ対キーワードテーブル４４とコンテンツ４５とを記録する。ユーザ対キーワードテーブル４４は、ユーザとキーワードを対応させている。
【００７６】
図１６は、ユーザ対キーワードテーブル４４の１例を示している。ユーザ対キーワードテーブル４４は、図１６に示されるように、各ユーザに所定の個数のキーワードを対応させている。
【００７７】
図１７は、コンテンツ４６のデータ構造を示している。コンテンツ４６は、ヘッダ５１とコンテンツ本体５３とから構成されている。ヘッダ５１には、キーワードの識別子５２が挿入されている。キーワードの識別子５２は、コンテンツ４６に対応したキーワードを有している。
【００７８】
図１８〜図２０は、自動スクロール制御システム１０の動作を示している。先ず、サービスプロバイダ２は、通信部３１を介して情報端末１の接続要求の有無を判別する（ステップＳ５１）。情報端末１の接続要求がないとき、情報端末１の接続要求の有無を判別する処理を繰り返すループに入る。情報端末１の接続要求を受信したとき、そのループから脱出しサービスプロバイダ２はアクセス部３５を介して記憶装置部３３のユーザ対ＵＲＬテーブル４３を読み出す（ステップＳ５３）。
【００７９】
判別部３６は、ユーザ対ＵＲＬテーブル４３に基づいて、接続要求した情報端末１を示す情報がユーザ対ＵＲＬテーブル４３に存在するか否かを判別する（ステップＳ５４）。情報端末１を示す情報がユーザ対ＵＲＬテーブル４３に存在しないとき、新たに情報端末１を示す情報をユーザ対ＵＲＬテーブル４３に登録する（ステップＳ５５）。情報端末１を示す情報がユーザ対ＵＲＬテーブル４３に存在するとき、またはステップＳ５５が実行された後、サービスプロバイダ２は情報端末１がＵＲＬアクセス要求とともに特別なコマンドであるキーワード要求をしているかどうかを判別する（ステップＳ５６）。
【００８０】
情報端末１のＵＲＬアクセス要求がないとき、サービスプロバイダ２はＵＲＬアクセス要求の有無を判別する処理（ステップＳ５６）を繰り返すループを実行する。サービスプロバイダ２は、情報端末１からＵＲＬアクセス要求とキーワード要求とを受信したとき、そのループから脱出しコンテンツサーバ３からＵＲＬ監視部４１を介してＵＲＬコンテンツを取得しそのＵＲＬコンテンツを記憶装置部３３に記録する（ステップＳ５８）。
【００８１】
ユーザ対キーワードテーブル４４にアクセス要求したユーザの情報が存在するか否かが判別される（ステップＳ５９）。ユーザ対キーワードテーブル４４にユーザの情報が存在するとき、アクセス部３５はそのユーザに対応するキーワードを取得する（ステップＳ６０）。解析部４６は、情報端末１に送信すべきコンテンツを取得し（ステップＳ６１）、そのコンテンツ内にキーワードが存在するか否かを判別する（ステップＳ６２）。
【００８２】
コンテンツ内にキーワードが存在するとき（ステップＳ６２；ＹＥＳ）、加工部４７はコンテンツのヘッダ部分にキーワードを挿入し（ステップＳ６３）、そのコンテンツを情報端末１に送信する（ステップＳ６４）。コンテンツ内にキーワードが存在しないとき、コンテンツはそのまま情報端末１に送信される（ステップＳ６４）。コンテンツが情報端末１に送信された後、記憶装置部３３に記録されたコンテンツは、削除される（ステップＳ６６）。
【００８３】
このとき、ユーザ対キーワードテーブル４４に記載されているキーワードは、情報端末１が有する自動スクロール速度テーブル２３に記載されているキーワードと一致している。このようにユーザ対キーワードテーブル４４に記載されていないキーワードを情報端末１に送信しないことにより、情報端末１はコンテンツの中からキーワードを検索する必要がなくなる。
【００８４】
ユーザ対キーワードテーブル４４にユーザの情報が存在しないとき（ステップＳ５９；ＮＯ）、コンテンツはそのまま情報端末１に送信され、判別部３６はアクセス部３５にユーザ対ＵＲＬテーブル４３の読み出しを指示する（ステップＳ６７）。判別部３６は、ユーザ対ＵＲＬテーブル４３に情報端末１からアクセスされたＵＲＬが存在したか否かを判別する（ステップＳ６８）。
【００８５】
情報端末１からアクセスされたＵＲＬの情報が存在しないとき、新たにアクセスされたＵＲＬをユーザ対ＵＲＬテーブル４３に登録する（ステップＳ６９）。アクセスされたＵＲＬの情報がユーザ対ＵＲＬテーブル４３に存在するとき、そのＵＲＬのアクセス回数がユーザ対ＵＲＬテーブル４３から読み出されて判別部３６に渡される（ステップＳ７０）。
【００８６】
判別部３６は、所定の期間内に所定の回数以上のアクセスがあるかどうかを判別する（ステップＳ７１）。所定回数以上のアクセスがあるとき、嗜好情報解析部３８はＵＲＬ対キーワードテーブル４２からユーザが要求したＵＲＬに対応するキーワードを取得する（ステップＳ７３）。ユーザ対キーワードテーブル４４にユーザに対応するキーワードの中に取得したキーワードが含まれているか否かが判別される（ステップＳ７４）。
【００８７】
取得したキーワードが含まれていないとき、ユーザ対キーワードテーブル４４にそのキーワードを登録する（ステップＳ７５）。登録方法は、先の実施の形態における自動スクロール速度テーブル２３に新キーワードを登録する動作と同様である。即ち、ユーザ対キーワードテーブル４４に登録されているキーワードが所定の個数以上であるとき、最古のキーワードが削除され、新キーワードが登録される。登録されているキーワードが所定の個数未満であるとき、そのまま新キーワードが登録される。
【００８８】
新キーワードの登録の後、嗜好情報解析部３８は、ユーザ対ＵＲＬテーブル４３のユーザのレコードから、アクセスされたＵＲＬとそのアクセス回数の情報を削除する（ステップＳ７６）。
【００８９】
アクセス回数が所定の回数未満であるとき、またはステップ６９の処理が実行された後、アクセス部３５はユーザ対ＵＲＬテーブル４３を更新する。即ち、アクセスされたＵＲＬのＵＲＬアクセス回数は１だけ加算される。（ステップＳ７２）。
【００９０】
情報端末１は、まず、サービスプロバイダ２に接続要求を送信し（ステップＳ５２）、サービスプロバイダ２にＵＲＬアクセス要求を送信する（ステップＳ５７）。その後、情報端末１はサービスプロバイダ２からＵＲＬコンテンツを受信し（ステップＳ６５）、そのＵＲＬコンテンツをコンテンツ２４として記憶装置部１５に記録する。アクセス部１７は、コンテンツ２４のヘッダ部分にキーワードの識別子が挿入されているか否かを判別する。コンテンツにキーワードが挿入されているとき、アクセス部１７は挿入されているキーワードを取得し、情報端末１は先の実施の形態におけるステップＳ１９，Ｓ２０の処理を実行する。
【００９１】
図２１及び図２２は、情報端末１がコンテンツを自動スクロール表示する動作を示している。ユーザにより情報端末１の電源がＯＮされると、情報端末１は所定のアプリケーションを起動して、記憶装置部１５に記録されているコンテンツ２４を表示装置部２２に表示する（ステップＳ８１）。または情報端末１は、外付けされているメモリやハードディスクに例示される記憶メディアに記録されているコンテンツを表示装置部２２に表示する。
【００９２】
表示装置部２２に表示されない残量のコンテンツがあるとき、即ち、コンテンツが２ページ以上であるとき、入力監視部１２は入力装置部１１の自動スクロールボタン２６が押下されるか否かを判別する（ステップＳ８２）。表示すべきコンテンツが２ページ未満であるとき、フローは終了する。
【００９３】
自動スクロールボタン２６が押下されないときは、ユーザが希望の表示画面２５の方向に合わせて、上下左右方向スクロールボタン２７を押下することによって、コンテンツが表示画面２５の上下方向または左右方向にスクロールされる（ステップＳ８３）。
【００９４】
ユーザが自動スクロールボタン２６を押下したとき、入力監視部１２は自動スクロールの実行を示す表示制御コマンドを受信したことを表示制御装置部２１に通知する。表示制御装置部２１は、その通知を受けて自動スクロール表示処理を開始する。取得部１９は、コンテンツ２４のヘッダ部分からキーワードを読み出し（ステップＳ８４）、コンテンツ２４のヘッダ部分にキーワードが含まれているか否かを判別する（ステップＳ８５）。
【００９５】
コンテンツ２４のヘッダ部分にキーワードが付加されているとき、アクセス部１７はそのキーワードを取得し、ワークメモリ部１６に一時的に記録する（ステップＳ８６）。コンテンツ２４のヘッダ部分にキーワードが存在しないとき、情報端末１は表示画面２５上に表示される文字情報や画像情報等を基づいて、自動スクロール表示処理を行う（ステップＳ８９）。例えば、コンテンツが文字情報であるとき、１行文字長さに反比例したスクロール速度でスクロールする。
【００９６】
表示制御装置部２１は、アクセス部１７に記録装置部１５に記録されたコンテンツ２４と自動スクロール速度テーブル２３に記録されたキーワードを読み出すように指示する（ステップＳ８７）。コンテンツ２４内にキーワードが存在しないとき、情報端末１は表示画面２５上に表示される文字情報や画像情報等を基づいて、公知の自動スクロール表示処理を行う（ステップＳ８９）。
【００９７】
コンテンツ２４内にキーワードが存在するとき、表示制御装置部２１は中央処理装置部１３とアクセス部１７とを介して、自動スクロール速度テーブル２３のキーワードに対応する自動スクロール速度値を取得する（ステップＳ９０）。表示制御装置部２１は、表示装置２１にコンテンツ２４を表示画面２５上に表示するように通知し、自動スクロール速度値を通知する（ステップＳ９１）。表示装置部２２は、自動スクロール速度値を受信し、コンテンツ２４を自動スクロール表示する。中央処理装置部１３は、タイマ装置部２０に自動スクロール速度値に対応する時間の計測を指示する。
【００９８】
タイマ装置部２０は、中央処理装置１３の指示により時間を計測する（ステップＳ９２）。コンテンツが表示装置部２２に自動スクロール表示されているとき、表示制御装置部２１は入力監視部１２に入力装置部１１の自動スクロールボタン２６の押下の有無を判別するように通知する。入力監視部１２は、コンテンツの自動スクロール表示時間内に、ユーザからの表示制御コマンドを受信するか否かを判別する（ステップＳ９３）。表示時間が無くなるまで、即ち、タイマ装置部２０がタイムアップ信号を中央処理装置部１３に出力するまで、表示制御コマンドを受信するか否かを判別する処理が繰り返し実行される。
【００９９】
表示制御コマンドを受信したとき、押下されたボタンが自動スクロールボタン２６か上下左右方向スクロールボタン２７かが判別される（ステップＳ９４、Ｓ９６）。判別結果は、表示制御装置部２１に通知される。
【０１００】
自動スクロールボタン２６が押下されたとき、表示制御装置部２１は自動スクロール表示処理を終了させ、ユーザが希望の表示画面２５の方向に合わせて、上下左右方向スクロールボタン２７を押下することによって、コンテンツが表示画面２５の上下方向または左右方向にスクロールされる（ステップＳ９５）。
【０１０１】
上下左右方向スクロールボタン２７が押下されたとき、表示制御装置部２１は中央処理装置部１３を介してタイマ装置部２０にコンテンツが表示画面２５に表示された時刻から上下左右方向スクロールボタン２７が押下されるまでの時間を要求する。この時間を新自動スクロール速度値とする。タイマ装置部２０は新自動スクロール速度値を表示制御装置部２１に通知する（ステップＳ９７）。表示制御装置部２１は、中央処理装置部１３を介して比較部１８に新自動スクロール速度値を渡し、従来の自動スクロール速度値と新自動スクロール値との比較を指示する（ステップＳ９８）。
【０１０２】
新自動スクロール速度値が自動スクロール速度値の変更範囲内であるとき、比較部１８は新自動スクロール速度値と自動スクロール速度値との平均値を計算し（ステップＳ１００）、平均値を表示制御装置部２１に通知する。表示制御装置部２１は平均値を新自動スクロール速度値に代入し、自動スクロール速度テーブル内のキーワードに対応する自動スクロール速度値を新自動スクロール速度値に更新する（ステップＳ１０１）。
【０１０３】
取得部１９は、記録装置部１５に記憶されたコンテンツ２４を読み出し、表示画面２５に表示すべき残量のコンテンツが存在するか否かを判別する（ステップＳ１０２）。この判別結果は表示制御装置部２１に通知される。表示すべき残量のコンテンツが存在するとき、表示制御装置部２１は、再度ステップＳ８７が実行され、表示画面２５上にその残量のコンテンツの表示処理を行う。表示すべき残量のコンテンツが存在しないとき、表示制御装置部２１は自動スクロール表示処理を終了させる。
【０１０４】
タイマ装置部２０がタイムアップ信号を中央処理装置部１３に出力したとき（ステップ９２；ＮＯ）、表示制御装置部２１は取得部１９に次の表示画面２５に表示するコンテンツの残量が存在するか否かの判別を指示する。取得部１９は、記録装置部１５に記憶されたコンテンツ２４を読み出し、表示画面２５に表示すべき残量のコンテンツが存在するか否かを判別する（ステップＳ１０２）。この判別結果は表示制御装置部２１に通知される。表示すべき残量のコンテンツが存在するとき、表示制御装置部２１は、再度ステップＳ３４が実行され、表示画面２５上にその残量のコンテンツの表示処理を行う。
【０１０５】
表示すべき残量のコンテンツが存在しないとき、表示制御装置部２１はワークメモリ１６にキーワードが記録されているかいないかを判別する（ステップＳ１０３）。キーワードが記録されているとき、表示制御装置部２１は、アクセス部１７を介してそのキーワードを削除する（ステップＳ１０４）。
【０１０６】
【発明の効果】
本発明による自動スクロール制御装置及び自動スクロール制御システムは、コンテンツを自動的にスクロール表示させる際、スクロール速度をユーザが読み取りやすい速度に自動的に調整することができる。
【図面の簡単な説明】
【図１】図１は、本発明による自動スクロール制御システムの実施の形態を示すブロック図である。
【図２】図２は、情報端末１を示すブロック図である。
【図３】図３は、情報端末１の外観を示す平面図である。
【図４】図４は、情報端末１’の外観を示す平面図である。
【図５】図５は、自動スクロール速度テーブル２３の１例を示す表である。
【図６】図６は、サービスプロバイダ２を示すブロック図である。
【図７】図７は、ＵＲＬ対キーワードテーブル４２の１例を示す表である。
【図８】図８は、ユーザ対ＵＲＬテーブル４３の１例を示す表である。
【図９】図９は、自動スクロール制御システムの動作を示すフローチャートである。
【図１０】図１０は、自動スクロール制御システムの動作を示すフローチャートである。
【図１１】図１１は、キーワードを自動スクロール速度テーブルに登録する動作を示すフローチャートである。
【図１２】図１２は、情報端末１の動作を示すフローチャートである。
【図１３】図１３は、情報端末１の動作を示すフローチャートである。
【図１４】図１４は、自動スクロール速度テーブル２３’の１例を示す表である。
【図１５】図１５は、本発明による自動スクロール制御システムの実施の他の形態におけるサービスプロバイダ２を示すブロック図である。
【図１６】図１６は、ユーザ対キーワードテーブル４４の１例を示す表である。
【図１７】図１７は、コンテンツのデータ構造を示す概念図である。
【図１８】図１８は、自動スクロール制御システムの動作を示すフローチャートである。
【図１９】図１９は、自動スクロール制御システムの動作を示すフローチャートである。
【図２０】図２０は、自動スクロール制御システムの動作を示すフローチャートである。
【図２１】図２１は、情報端末１の動作を示すフローチャートである。
【図２２】図２２は、情報端末１の動作を示すフローチャートである。
【図２３】図２３は、公知のスクロール制御装置の実施の形態を示すブロック図である。
【符号の説明】
１…情報端末
２…サービスプロバイダ
３…コンテンツサーバ
１１…入力装置部
１２…入力監視部
１３…中央処理装置部
１４…通信部
１５…記憶装置部
１６…ワークメモリ部
１７…アクセス部
１８…比較部
１９…取得部
２０…タイマ装置部
２１…表示制御装置部
２２…表示装置部
２３…自動スクロール速度テーブル
２４…コンテンツ
２５…表示画面
２６…自動スクロールボタン
２７…上下左右方向スクロールボタン
３１…通信部
３２…中央処理装置部
３３…記憶装置部
３４…ワークメモリ部
３５…アクセス部
３６…判別部
３８…嗜好情報解析部
３９…アクセス回数計算部
４０…タイマ装置部
４１…ＵＲＬ監視部
４２…ＵＲＬ対キーワードテーブル
４３…ユーザ対ＵＲＬテーブル
４４…ユーザ対キーワードテーブル
４５…コンテンツ
４６…解析部
４７…加工部
Ｓ１〜Ｓ１０４…処理ステップ
【図１】
0003620583.tif 000002
【図２】
0003620583.tif 000003
【図３】
0003620583.tif 000004
【図４】
0003620583.tif 000005
【図５】
0003620583.tif 000006
【図６】
0003620583.tif 000007
【図７】
0003620583.tif 000008
【図８】
0003620583.tif 000009
【図９】
0003620583.tif 000010
【図１０】
0003620583.tif 000011
【図１１】
0003620583.tif 000012
【図１２】
0003620583.tif 000013
【図１３】
0003620583.tif 000014
【図１４】
0003620583.tif 000015
【図１５】
0003620583.tif 000016
【図１６】
0003620583.tif 000017
【図１７】
0003620583.tif 000018
【図１８】
0003620583.tif 000019
【図１９】
0003620583.tif 000020
【図２０】
0003620583.tif 000021
【図２１】
0003620583.tif 000022
【図２２】
0003620583.tif 000023
【図２３】
0003620583.tif 000024